(57)【要約】【課題】      共同溝のセキュリティの確保および維持管理の課金データ作成の自動かを実現することにある。【解決手段】  管理センター１と共同溝の溝管理装置２とがネットワーク５で接続され、管理センター装置１は、入溝申請書に基づきＩＣカード１３に所定のカードデータを記憶するデータベース１１と、カードデータを書込むカードライター１４と、ＩＣカード１３をカードライターにセットした後、データベースからカードデータを取り出してカードライターおよび溝管理装置に伝送するカードデータ処理装置１２とを有し、各溝管理装置２は、管理センター装置のカードデータを取込んで記憶する手段と、ＩＣカードがセットされたと、ＩＣカードのカードデータと既に記憶されるカードデータとを比較し、一致時に扉の電子錠を解錠するカードリーダ２２，２３とを有する入出溝管理システムである。【選択図】図１
2005201040.tif 000002
【特許請求の範囲】
【請求項１】
管理センター装置と共同溝の各溝口に設置される溝管理装
置とがネットワークで接続され、管理センター装置側のカードライターを用いて
ＩＣカードを発行したとき、当該ＩＣカードのカードデータを伝送して前記溝管
理装置に記憶し、この溝管理装置ではＩＣカードのカードデータと既に伝送記憶
されているカードデータとを比較し、各溝口の扉の開閉を行なうことを特徴とす
るＩＣカードを用いた入出溝管理システム。
【請求項２】
管理センター装置と共同溝の各溝口に設置される溝管理装
置とがネットワークで接続され、
前記管理センター装置は、
入溝申請書に基づいてＩＣカードに書込む業者名、入溝申請期間および対象溝
口などのカードデータを記憶するＩＣカードデータ記憶手段と、この記憶手段に
記憶されるカードデータを書込むカードライターと、前記ＩＣカードが前記カー
ドライターにセットされたとき、前記ＩＣカードデータ記憶手段から前記カード
データを取り出してカードライターに送出して書き込み制御を行なうとともに、
当該カードデータを該当溝口の溝管理装置に伝送するカードデータ書込制御手段
とを有し、
前記各溝管理装置は、
前記管理センター装置から伝送されてくるカードデータが自己宛てのとき、当
該カードデータを取込んで記憶する手段と、
前記ＩＣカードがセットされたとき、このＩＣカードのカードデータと既に伝
送記憶されているカードデータとを比較し、一致したときに扉の電子錠を解錠す
るカードリーダとを有する
ことを特徴とするＩＣカードを用いた入出溝管理システム。
【請求項３】
ＩＣカードを発行する管理センター装置と共同溝の各溝口
に設置されるカードリーダをもつ溝管理装置とがネットワークで接続され、
前記各溝管理装置のカードリーダは、
ＩＣカードの装着有無を判断し、カード装着無しの判断にも拘らず扉開信号を
受けたとき、警報データを伝送する第１の警報データ伝送手段、前記カード装着
有りと判断し、かつ、前記ＩＣカードに所定のカードデータが登録されていない
と判断されたとき、不正カードと判断して警報データを伝送する第２の警報デー
タ伝送手段、前記ＩＣカードに所定のカードデータが登録されていて該当扉の電
子錠を解錠処理したとき、解錠不可となったとき警報データを伝送する第３の警
報データ伝送手段、前記扉の電子錠を解錠したにも拘らず、一定時間経過したに
も拘らず当該扉が自動閉とならないとき警報データを伝送する第４の警報データ
伝送手段のうち、少なくとも１つ警報データ伝送手段を設け、当該警報データ伝
送手段から警報データを前記管理センター装置に伝送し、
前記管理センター装置は、警報データを受けた時、外部に警報信号を出力する
手段を有する
ことを特徴とするＩＣカードを用いた入出溝管理システム。
【請求項４】
ＩＣカードを発行する管理センター装置と共同溝の各溝口
に設置されるカードリーダをもつ溝管理装置とがネットワークで接続され、
前記各溝管理装置のカードリーダは、
火災検知その他の異常検知センサから異常を受けた時、緊急程度の大小を表す
データをもつ緊急データを前記管理センター装置に伝送する手段を有し、
前記管理センター装置は、
前記緊急データを受けたとき、その緊急程度の大小に応じて電子錠の一斉解施
錠データまたは個別溝口の解施錠データを伝送する手段を有し、
前記溝管理装置のカードリーダに対して電子錠の解施錠を指示することを特徴
とするＩＣカードを用いた入出溝管理システム。
【請求項５】
ＩＣカードの発行時にカードデータを伝送する管理センタ
ー装置と共同溝の各溝口に設置されるカードリーダをもつ溝管理装置とがネット
ワークで接続され、
前記各溝管理装置のカードリーダは、
前記管理センター装置から送信されてくるカードデータが自己宛てのとき、当
該カードデータを取込んで記憶する手段と、各溝口の入・出溝時に前記ＩＣカー
ドがセットされたとき、このＩＣカードのカードデータと既に記憶されるカード
データとを比較し、一致したときに扉の電子錠を解錠するとともに、入溝情報お
よび出溝情報を前記管理センター装置に伝送するカードリーダとを有し、
前記管理センター装置は、
入溝申請書に基づいて業者名、入溝申請期間および対象溝口を含むカードデー
タの他、前記入溝情報および出溝情報を記憶するＩＣカードデータ記憶手段と、
このＩＣカードデータ記憶手段に記憶されている業者名ごとに前記入溝情報お
よび出溝情報から得られる在溝時間と予め定める単位時間当たりの課金額を用い
て、課金集計処理を行なう課金集計処理手段とを有する
ことを特徴とするＩＣカードを用いた入出溝管理システム。
【発明の詳細な説明】
【技術分野】
【０００１】
本発明は、公共性の高い共同溝のセキュリティおよび維持管理のための共益費
の課金などの管理を行なうＩＣカードを用いた入出溝管理システムに関する。
【背景技術】
【０００２】
公共性の高い共同溝は、都市生活に必要なインフラが集中的に収納されている
場所であり、その機能を維持するためにはインフラを提供する業者による共同溝
の保守・点検作業が不可欠である。しかし、共同溝への頻繁な入出を認めると、
共同溝の中から破壊活動や第三者によるいたずらが横行し、都市生活にも悪影響
を与える問題がある。
【０００３】
そこで、公共性の高い共同溝においては、共同溝の入出に対して高度なセキュ
リティが求められ、さらに共同溝内の点検作業上必要な電気代や水道代などの公
益費を含む共同溝の維持管理から、入・出溝業者に按分の負担が求められるケー
スが多い。
【０００４】
従来、このような共同溝のセキュリティおよび維持管理に際し、次のような管
理形態がとられている。
【０００５】
入・出溝業者は、入溝申請書を作成して共同溝管理者に提出し、共同溝管理者
から共同溝の入出の許可を受け、鍵を借り受ける。入・出溝業者は、借り受けた
鍵を用いて共同溝の指定入出口の扉を開閉し、共同溝の入出を行なっている。一
方、共同溝管理者は、鍵の貸出し／返却を台帳などに記録し管理し、必要に応じ
て共同溝の維持管理などの面から課金する場合には、その課金情報も台帳などに
記録し管理する。
【発明の開示】
【発明が解決しようとする課題】
【０００６】
ところで、以上のような鍵を用いた入・出溝の管理の場合には、次のような問
題が指摘されている。
【０００７】
（１）  以上のような鍵を用いた場合、管理者側は共同溝への実際の入溝時間と
出溝時間が把握できないこと。その結果、正確な在溝時間が計算できず、ひいて
は公正な課金が難しい問題がある。
【０００８】
（２）  また、管理者側は、借し出した後の鍵の使用状況を把握できない。その
結果、例えば管理者の知らないところで容易に合鍵が作製でき、その合鍵を使用
すれば管理者側に申請せずに共同溝に入出できる状態となり、入出溝の管理の意
味が失われる可能性がある。
【０００９】
（３）  さらに、鍵を紛失することがあるが、その鍵の取得者がどの入溝口の鍵
であるかが分かったとき、無断使用される恐れがあること。そのため、入・出溝
業者および共同溝の管理者は紛失した鍵を徹底的に探すか、直ぐに鍵を交換しな
ければならない問題がある。
【００１０】
本発明は上記実情に鑑みてなされたもので、共同溝の確実なセキュリティの確
保を実現するＩＣカードを用いた入出溝管理システムを提供することにある。
【００１１】
また、本発明の他の目的は、共同溝の管理上の異常を的確に把握し、迅速に必
要な処置を講じうるＩＣカードを用いた入出溝管理システムを提供することにあ
る。
【００１２】
さらに、本発明の他の目的は、共同溝の災害を極力低減化するＩＣカードを用
いた入出溝管理システムを提供することにある。
【００１３】
さらに、本発明の他の目的は、人手を要せずに課金集計を自動的に行うＩＣカ
ードを用いた入出溝管理システムを提供することにある。
【課題を解決するための手段】
【００１４】
上記課題を解決するために、請求項１，２に対応する発明は、管理センター装
置と共同溝の各溝口に設置される溝管理装置とがネットワークで接続され、
前記管理センター装置は、入溝申請書に基づいてＩＣカードに書込む業者名、
入溝申請期間および対象溝口などのカードデータを記憶するＩＣカードデータ記
憶手段と、この記憶手段に記憶されるカードデータを書込むカードライターと、
前記ＩＣカードが前記カードライターにセットされたとき、前記ＩＣカードデー
タ記憶手段から前記カードデータを取り出してカードライターに送出して書き込
み制御を行なうとともに、当該カードデータを該当溝口の溝管理装置に伝送する
カードデータ書込制御手段とを有し、
前記各溝管理装置は、前記管理センター装置から伝送されてくるカードデータ
が自己宛てのとき、当該カードデータを取込んで記憶する手段と、前記ＩＣカー
ドがセットされたとき、このＩＣカードのカードデータと既に伝送記憶されてい
るカードデータとを比較し、一致したときに扉の電子錠を解錠するカードリーダ
とを有するＩＣカードを用いた入出溝管理システムである。
【００１５】
このような手段を講じたことにより、管理センター装置側は、ＩＣカードに所
定のカードデータを記載するとともに、このＩＣカードのカードデータを対象入
出溝口設置の溝管理装置に伝送するので、入出溝業者がＩＣカードを所持し、溝
管理装置のカードリーダにセットすれば、カードリーダがＩＣカードのカードデ
ータと既に管理センター装置から伝送されているカードデータを比較し、適正な
入出溝業者であると判断し、扉の電子錠を解錠するので、共同溝の確実なセキュ
リティをの確保することができる。
【００１６】
請求項３に対応する発明は、ＩＣカードを発行する管理センター装置と共同溝
の各溝口に設置されるカードリーダをもつ溝管理装置とがネットワークで接続さ
れ、
前記各溝管理装置のカードリーダは、カード装着無しのときに扉開信号を受け
たとき、警報データを伝送する第１の警報データ伝送手段、カード装着有り時に
ＩＣカードに所定のカードデータが登録されていないとき、不正カードと判断し
て警報データを伝送する第２の警報データ伝送手段、扉の電子錠を解錠処理時に
解錠不可となったとき警報データを伝送する第３の警報データ伝送手段、扉の電
子錠の解錠後に一定時間経過したにも拘らず扉が閉じないとき警報データを伝送
する第４の警報データ伝送手段などを備えているので、これら異常時に警報デー
タを管理センター装置に伝送できる。
【００１７】
この管理センター装置は、警報データを外部に報知する。
【００１８】
このような手段を講じたことにより、各溝管理装置のカードリーダは、セキュ
リティの上から考えられる主々の不正な状態を判断し、警報データを管理センタ
ー装置に伝送するので、管理センター装置では、警報またはランプ点灯などによ
って外部に報知するので、共同溝の管理上の異常を的確に知り得、迅速に適切な
処置を講じることができる。
【００１９】
請求項４に対応する発明は、ＩＣカードを発行する管理センター装置と共同溝
の各溝口に設置されるカードリーダをもつ溝管理装置とがネットワークで接続さ
れ、
前記各溝管理装置のカードリーダは、火災検知その他の異常検知センサから異
常を受けた時、緊急程度の大小を表すデータをもつ緊急データを前記管理センタ
ー装置に伝送する手段を有し、前記管理センター装置は、前記緊急データを受け
たとき、その緊急程度の大小に応じて電子錠の一斉解施錠データまたは個別溝口
の解施錠データを伝送する手段を有し、溝管理装置のカードリーダに対して電子
錠の解施錠を指示する構成であるので、共同溝内の火災、温度上昇、ガス漏れな
どの災害時に管理センター装置から共同溝の各入出溝口の自動解施錠を行なうこ
とができ、救助隊や消防隊による迅速な対応をとることができる。
【００２０】
請求項５に対応する発明は、ＩＣカードの発行時にカードデータを伝送する管
理センター装置と共同溝の各溝口に設置されるカードリーダをもつ溝管理装置と
がネットワークで接続され、
前記各溝管理装置のカードリーダは、前記管理センター装置から送信されてく
るカードデータが自己宛てのとき、当該カードデータを取込んで記憶する手段と
、各溝口の入・出溝時に前記ＩＣカードがセットされたとき、このＩＣカードの
カードデータと既に記憶されるカードデータとを比較し、一致したときに扉の電
子錠を解錠するとともに、入溝情報および出溝情報を前記管理センター装置に伝
送するカードリーダとを有し、
前記管理センター装置は、入溝申請書に基づいて業者名、入溝申請期間および
対象溝口を含むカードデータの他、前記入溝情報および出溝情報を記憶するＩＣ
カードデータ記憶手段と、このＩＣカードデータ記憶手段に記憶されている業者
名ごとに前記入溝情報および出溝情報から得られる在溝時間と予め定める単位時
間当たりの課金額を用いて、課金集計処理を行なう課金集計処理手段とを有する
ＩＣカードを用いた入出溝管理システムである。
【００２１】
このような手段を講じたことにより、管理センター装置は、各溝管理装置のカ
ードリーダから伝送されてくる入溝情報と出溝情報とから在溝時間を計算し、こ
の在溝時間と単位時間当たりの課金額とから在溝時間の総課金額を算出し、日集
計、月集計または年集計として伝票形式で自動的に出力可能となるので、人手を
必要とせずに課金集計をすることができる。
【発明の効果】
【００２２】
以上説明したように本発明によれば、次のような種々の効果を奏する。
【００２３】
請求項１，２の発明によれば、共同溝の確実なセキュリティの確保できるＩＣ
カードを用いた入出溝管理システムを提供できる。
【００２４】
請求項３の発明によれば、共同溝の管理上の異常を的確に把握し、迅速に必要
な処置を講じることができるＩＣカードを用いた入出溝管理システムを提供でき
る。
【００２５】
請求項４の発明によれば、共同溝の災害ときに迅速に災害の拡大を防止できる
ＩＣカードを用いた入出溝管理システムを提供できる。
【００２６】
請求項５の発明によれば、人手を要せずに課金集計を自動的に行うことができ
るＩＣカードを用いた入出溝管理システムを提供できる。
【発明を実施するための最良の形態】
【００２７】
（第１の実施の形態）
図１は請求項１および請求項２の発明に係わるＩＣカードを用いた入出溝管理
システムの一実施の形態を示す構成図である。
【００２８】
この入出溝管理システムは、ＩＣカードを発行する管理センター装置１と、各
入出溝口に設置され入出溝業者の入出を管理する溝管理装置２，…とが例えばイ
ーサネットなどのＬＡＮ３を介して接続されている。４は共同溝の付帯設備監視
装置であって、電源のオン・オフ、喚起制御その他必要に応じて共同溝の温度制
御等の制御監視を行なう機能をもっている。
【００２９】
この管理センター装置１は、入溝申請書に基づいて予め所定のＩＣカード書込
用カードデータが登録されるＩＣカード用データベース１１と、入・出溝業者に
よる入溝申請書の受付けに基づいて、ＩＣカード用データベース１１からＩＣカ
ード書込み用データを読み出して書込み制御を実施し、かつ、入出溝口の宛先ア
ドレスデータとともにＩＣカード書込み用データを入出溝口設置の溝管理装置２
，…に伝送する例えばワークステーションなどのカードデータ処理装置１２と、
このカードデータ処理装置１２のデータ書込み制御の下にデータが記録されてい
ない任意のＩＣカード１３（以下、ＩＣカード鍵と指称する）にＩＣカード用デ
ータベース１１に記憶されるカードデータを順次書き込むカードライタ１４とが
設けられている。
【００３０】
前記各入出溝口に設置される各溝管理装置２，…は、ネートワーク５に接続さ
れ、管理センター装置１との間でデータの授受を行なう伝送装置２１と、管理セ
ンター装置１から伝送装置２１を通して送られてくるカードデータを記憶する一
方、入溝する際にＩＣカード鍵１３の内容と伝送記憶されるＩＣカードデータと
を比較して入溝口の扉に取り付けられる電子錠を解錠するとともに、必要な情報
を管理センター装置１に伝送する入溝用カードリーダ２２と、出溝する際にＩＣ
カード鍵１３の内容と記憶されたＩＣカードデータとを比較し、出溝口の扉に取
り付けられる電子錠を解錠するとともに、必要な情報を管理センター装置１に伝
送する出溝用カードリーダ２３とが設けられている。これら入溝口側扉および出
溝口側扉にそれぞれ電子錠２４，２５が設けられている。
【００３１】
なお、入溝口と出溝口とが異なる場所にある場合にはそれぞれの場所の扉に入
溝用カードリーダ２２と出溝用カードリーダ２３を設置するが、例えば同一の場
所の場合には同一の扉の表側にば入溝用カードリーダ２２が設置され、裏側に出
溝用カードリーダ２３が設置される。
【００３２】
次に、以上のように構成されたＩＣカードを用いた入出溝管理システムの動作
について説明する。
【００３３】
入溝申請業者は、入溝前に管理センターにＩＣカード鍵１３を借りに行く。こ
のとき、入溝申請業者は、図２の（イ）に示す所定の内容を記載した入溝申請書
（ロ）を作成し管理センターに提出する。ここで、管理センターの担当者は、カ
ードデータ処理装置１２を用いて、入溝申請書の申請内容と管理センター側で付
加すべきデータとを加えてなる解施鍵データ，つまりカードデータを入力する。
【００３４】
この入力されたカードデータはＩＣカード用データベース１１に登録される。同
図の（ハ）は管理センター側のＩＣカード用データベース１１に登録されたＩＣ
カード用カードデータを示す。
【００３５】
以上の状態において管理センターの担当者は、カードデータの記録されていな
い任意のＩＣカードをカードライター１４に装着した後、カード書き込み指示を
入力する。そうすると、カードデータ処理装置１２は、ＩＣカード用データベー
ス１１からＩＣカード用カードデータを読み出し、カードライター１４に対して
カードデータを送出し、書き込み制御を実行する。ここで、カードライター１４
は装着されたＩＣカードの予め定める所定の位置にカードデータを順次書き込み
、ＩＣカード鍵１３を作製する。
【００３６】
以上のようにして特定の入出溝口に対してのみ有効期限付きで有効であり、か
つ、カード申請業者および維持管理費を支払う課金業者が書き込まれたＩＣカー
ド鍵１３が作製される。図示（ニ）はＩＣカード鍵１３に登録されたカードデー
タの例である。
【００３７】
なお、カートデータ処理装置１２およびカードライター１４によるＩＣカード
への書き込みと同時に当該書き込んだカードデータをＬＡＮ３および溝側ネット
ワーク５を介して該当入出溝口に設置される溝管理装置２に伝送する。
【００３８】
ここで、溝管理装置２は、自己宛送信アドレスに基づいてカードデータを取込
み、入溝用カードリーダ２２および出溝用カードリーダ２３の記憶媒体（図示せ
ず）にそれぞれ記憶する。
【００３９】
しかして、以上のようにして作製されたＩＣカード鍵１３は、外見上から見た
場合でもどの入出溝口の鍵であるか判断できず、管理者と入溝申請業者からなる
関係者のみしかカード内容を知ることができない。
【００４０】
このＩＣカード鍵１３を用いて共同溝に入溝するときは、入溝口設置の入溝用
カードリーダ２２にセットし、ＩＣカード鍵１３のカードデータを読込ませる。
【００４１】
この入溝用カードリーダ２２は、予め管理センター装置１側から伝送され記憶さ
れているカードデータとＩＣカード鍵１３から読込んだカードデータとを比較し
、当該入溝口用鍵であって、かつ、有効期限内にあるとき、当該ＩＣカード鍵１
３は有効であると判断し、入溝口設置の電子錠２４を解錠し、例えば解錠時刻、
入溝申請業者名および課金業者名を入溝情報とし、伝送装置２１から管理センタ
ー装置１に伝送する。この管理センター装置１は、溝管理装置２から伝送されて
くる入溝情報をＩＣカード用データベース１１に記憶する。
【００４２】
一方、出溝する際は、出溝口設置の出溝用カードリーダ２３にＩＣカード鍵１
３をセットし、ＩＣカード鍵１３のカードデータを読込ませる。ここで、出溝用
カードリーダ２３は、ＩＣカード鍵１３のカードデータと既に記憶されているカ
ードデータとを比較し、ＩＣカード鍵１３が有効であると確認すれば、出溝口設
置の電子錠２５を解錠する。そして、前述と同様に、例えば解錠時刻と、入溝申
請業者名および課金業者名を出溝情報とし、伝送装置２１から管理センター装置
１に伝送する。この管理センター装置１は、溝管理装置２から伝送されてくる出
溝情報をＩＣカード用データベース１１に記憶する。なお、扉は、入溝時および
出溝時に扉を閉めれば、自動的に施錠されるようになっている。
【００４３】
そして、共同溝の点検作業などの終了後、入溝業者がＩＣカード鍵１３を返却
すると、管理センターの担当者は、ＩＣカード鍵１３をカードライター１４にセ
ットすると、カードデータ処理装置１２およびカードライター１４を用いて、Ｉ
Ｃカード鍵１３に既に登録されている解施錠情報であるカードデータを消去する
。このとき、カードデータ処理装置１２は、申請対象となった入出溝口に設置さ
れる入溝用カードリーダ２２および出溝用カードリーダ２３にも消去指令を伝送
する。その結果、これらリーダ２２，２３に記憶されているカードデータも消去
される。これにより、鍵そのものが消滅するので、不正使用を起こすことがない
。また、ＩＣカードは、データの消滅によって再使用できる。
【００４４】
従って、以上のようなＩＣカードを用いた入出溝管理システムの実施の形態に
よれば、ＩＣカード鍵１３を借り出した者が合鍵を作成することができないばか
りか、万一，ＩＣカード鍵１３を紛失した場合でもどこの入出溝口の鍵か分から
ない。しかも、有効期限が過ぎれば、自然に鍵の機能を失うので、完璧なセキュ
リティを確保できる。また、利用期間中であっても、紛失届けがあった段階でカ
ードの無効を全ての入溝用カードリーダ２２および出溝用カードリーダ２３に伝
送し記憶すれば、どこかの入出溝口でＩＣカード鍵１３を使用しても、無効と判
断され、電子錠２４，２５が動作しないばかりか、事故カードの使用情報を管理
センター装置１に伝送することにより、カード使用の入出溝口の場所に急行でき
、ひいてはカードの取得使用者を容易に発見できる。
【００４５】
（第２の実施の形態）
図３は請求項３の発明に係わるＩＣカードを用いた入出溝管理システムのうち
、特に溝管理装置２の他の実施の形態を説明するフローチャートである。
【００４６】
この実施の形態は、入溝用カードリーダ２２または出溝用カードリーダ２３に
図４に示すような処理用プログラムを設けることにより、よりセキュリティ機能
を高めることにある。
【００４７】
このセキュリティ処理用プログラムによる一連の処理例を説明する。
【００４８】
すなわち、例えばカードリーダ２３は、所定周期ごとにカード装着有りかを判
断し（ＳＴ１）、カード装着なしと判断されたとき、扉開信号有りかを判断する
（ＳＴ２）。ここで、ＩＣカード鍵１３が装着されていないのに扉開信号が入力
されているとき、ＩＣカード以外例えば何らかの解錠を試みて扉開としたか、錠
の破壊による扉開となったと判断し、伝送装置２１を介して管理センター装置１
に警報データが伝送する（ＳＴ３）。
【００４９】
また、ステップＳＴ１においてカード装着有りと判断されたとき、前述したよ
うにＩＣカード鍵１３のカードデータと既に記憶されているカードデータとを比
較し条件成立の有無を判断する（ＳＴ４）。ここで、カードが装着されたにも拘
らず、条件不成立と判断されたとき、事故カードまたは何らかの不正カードの使
用と判断し（ＳＴ５）、伝送装置２１を介して管理センター装置１に警報データ
が伝送する。
【００５０】
ステップＳＴ４において条件成立と判断されたときには、解錠処理を実行する
（ＳＴ６）。しかる後、所定時間後に電子錠２４，２５が解錠されたか否かを判
断する（ＳＴ７）。ここで、電子錠２４，２５が解錠されないとき、電子錠の施
錠異常であると判断し（ＳＴ８）、伝送装置２１を介して管理センター装置１に
警報データが伝送する（ＳＴ３）。
【００５１】
さらに、ステップＳＴ７において電子錠２４，２５の解錠と判断されたとき、
前述したように所定の情報例えば解錠時刻と、入溝申請業者名および課金業者名
などを伝送する（ＳＴ８）。
【００５２】
この電子錠２４，２５の解錠後、時間を計測し、所定の設定時間を経過しても
扉が閉まらないときには設定時間タイムオーバと判断し（ＳＴ９）、伝送装置２
１を介して管理センター装置１に警報データが伝送する（ＳＴ３）。
【００５３】
管理センター装置１側では、以上のような警報データを受信すると、スピーカ
などの音声発生装置、異常表示用ランプまたは表示装置に何れの入出溝口で異常
が発生したかを報知するので、異常の場所に迅速に急行でき、速やかに適切な処
置を講じることができる。
【００５４】
（第３の実施の形態）
図４は請求項４の発明に係わるＩＣカードを用いた入出溝管理システムのうち
、特に管理センター装置１の他の実施の形態を示す構成図である。
【００５５】
この実施の形態は、緊急避難時に電子錠を自動解錠する実施の形態例である。
【００５６】
入出溝管理システムのうち、入溝用カードリーダ２２または出溝用カードリー
ダ２３内に、例えば複数の個所に設置される複数の火災検知センサ、複数の温度
センサ、複数のガス漏れセンサその他必要なセンサと、これらセンサの出力信号
を順次取込むマルチプレクサと、このマルチプレクサで取込んだ火災検知センサ
、温度センサ、ガス漏れセンサその他のセンサごとに所定のレベルが設定され、
センサの出力レベルが設定レベルを越えたとき緊急事態と判断し、かつ、例えば
所定個数例えば２つのセンサ出力レベルが設定レベルを越えたとき緊急程度が小
、所定個数例えば３つ以上のセンサ出力レベルが同時に設定レベルを越えたとき
緊急程度が大と判断し、通常処理に対して割込みを行なって緊急データをセンタ
ー装置１側に伝送する
一方、センター装置１においては、例えば図４に示すような構成要素が付加さ
れている。すなわち、各入出溝口側伝送装置２１から送られてくる緊急データを
受信したとき、警報またはランプ点灯を行なう緊急出力手段と、この警報または
ランプ点灯を確認した後、管理センター担当者が緊急指示を入力したとき、或い
自動的に緊急処理を実行するための緊急処理用プログラムを記憶する緊急処理用
プログラム記憶媒体３１と、この緊急処理用プログラムに従って緊急処理を実行
するＣＰＵなどで構成された緊急処理手段１２ａと、緊急時の相手宛先アドレス
および緊急指示データなどを記憶する緊急処理用データテーブル３２とが設けら
れている。３３は表示部、３４は入力機器である。
【００５７】
従って、管理センター装置１においては、例えば入出溝口ＮＯ．１の伝送装置
２１から緊急程度データをもつ緊急データを受信すると、カードデータ処理装置
１２の緊急出力手段が警報またはランプを点灯し、緊急事態である旨を報知する
。ここで、センター側担当者が緊急指示を入力するか、緊急データ入力に伴って
自動的に緊急処理手段１２ａを実行する。この緊急処理手段１２ａは、記憶媒体
３１から緊急処理用プログラムを読み出し、プログラム処理を実行する。つまり
、緊急程度データから緊急程度が小さい場合、図５に示す緊急処理用データテー
ブル３２から入出溝口ＮＯ．１に対する個別宛先アドレスと、入出溝口ＮＯ．１
解施錠データを読み出し、少なくとも個別宛先アドレス、センター側送信元アド
レス、入出溝口ＮＯ．１解施錠データをもったフレーム形式データを伝送し、入
出溝口ＮＯ．１に対する電子錠２４，２５の個別解施錠を行なう。
【００５８】
一方、緊急程度データから緊急程度が大きいと判断した時、緊急処理用プログ
ラムに従って緊急用データテーブル３２から同報アドレスおよび一斉解施錠せよ
の指示データを取り出し、同様に少なくとも同報アドレス、センター側送信元ア
ドレス、全入出溝口一斉解施錠せよのデータを送信し、全電子錠の一斉解施錠の
指示を与え、全電子錠を一斉に解錠する。
【００５９】
従って、以上のような実施の形態によれば、共同溝内で災害が発生した時の緊
急避難時、その緊急の程度に応じて入出溝口設置の電子錠を個別または全部を解
錠することにより、緊急時に救助隊や消防隊が容易に入溝可能となり、被害の拡
大を未然に防ぐことができる。
【００６０】
（第４の実施の形態）
図６は請求項５の発明に係わるＩＣカードを用いた入出溝管理システムのうち
、特に管理センター装置の他の実施の形態を示す構成図である。
【００６１】
この実施の形態は、課金データを自動的に作成するための実施形態例である。
【００６２】
この管理センター装置１は、ＣＰＵで構成されるカードデータ処理装置１２に
課金処理用プログラムを記憶する課金処理用プログラム記憶手段４１と、課金デ
ータテーブル４２とが接続され、さらにカードデータ処理装置１２内に課金処理
用プログラムを用いて課金処理を行なう課金処理手段１２ｂが設けられている。
【００６３】
４３はプリンタなどの出力装置である。
【００６４】
課金データの作成時、次のような一連の処理を実行する。ＩＣカード鍵１３を
用いて入出溝を行なった時、前述したように溝入出管理装置２側から入溝情報お
よび出溝情報が伝送され、管理センター装置１のＩＣカード用データベース１１
に格納されている。
【００６５】
そこで、カードデータ処理装置１２は、課金データの作成時または入・出溝情
報の格納時に図７に示す課金データテーブル４２に課金業者単位に入出溝した回
数と在溝時間とを格納する。しかる後、この在溝時間を分単位に変換し、予め定
める分単位課金額とを乗算し、各入出溝ごとに順次課金額を計算し課金データテ
ーブル４２に格納する。
【００６６】
そして、課金業者との取決めに基づき、課金業者単位に日集計、月集計、また
は年集計などを行ない、所定のフォーマットの所定の項目に必要な事項を順次記
載し、課金集計票を作成し、出力装置４４から出力する。
【００６７】
従って、以上のような実施の形態によれば、課金データの作成時、ＩＣカード
用データベース１１に格納されるデータに基づいて在溝時間に対する課金額を計
算し、日集計、月集計、または年集計の形で課金集計票を出力するので、従来の
ように特別の台帳を用意することなく、また管理者が作成することなく、短時間
に自動的に課金集計票を作成でき、管理事務の合理化を図ることができる。
【００６８】
（その他の実施の形態）
システムの故障、伝送エラーなどで入溝情報、出溝情報のデータエラーを起こ
したとき、または欠落したとき、作業業者がＩＣカード鍵１３を返却するとき、
作業業者から聞き取りながらＩＣカード用データベース１１に格納できるので、
入溝情報と出溝情報を修復／作成でき、公正な課金データを保存管理できる。
【００６９】
また、点検作業員の酸欠防止の観点から、付帯設備監視装置４が所定のスケジ
ュールに従って換気ファンを運転するが、日々変わる作業場所に対応する換気フ
ァンの運転スケジュールの設定を、入溝申告データを元にカードデータ処理装置
１２が運転スケジュールを作成し、付帯設備監視装置４に伝送するようにすれば
、付帯設備監視オペレータの作業を大幅に軽減できる。
【図面の簡単な説明】
【００７０】
【図１】本発明に係わるＩＣカードを用いた入出溝管理システムの一実施の形態を示す構成図。
【図２】ＩＣカードを発行する過程を説明する図。
【図３】請求項３の発明に係わるＩＣカードを用いた入出溝管理システムの動作を説明するフローチャート。
【図４】請求項４の発明に係わるＩＣカードを用いた入出溝管理システムのうち、管理センター装置の他の実施の形態を示す構成図。
【図５】図４に示す緊急処理用データテーブルのデータ配列図。
【図６】請求項５の発明に係わるＩＣカードを用いた入出溝管理システムのうち、管理センター装置の他の実施の形態を示す構成図。
【図７】図６に示す課金データテーブルのデータ配列図。
【符号の説明】
【００７１】
１…管理センター装置、２…溝管理装置、１１…ＩＣカード用データベース、１２…カードデータ処理装置、１３…ＩＣカード（ＩＣカード鍵）、１４…カードライター、２２，２３…カードリーダ、２４，２５…電子錠
【図１】
2005201040.tif 000003
【図２】
2005201040.tif 000004
【図３】
2005201040.tif 000005
【図４】
2005201040.tif 000006
【図５】
2005201040.tif 000007
【図６】
2005201040.tif 000008
【図７】
2005201040.tif 000009
【手続補正書】
【提出日】平成17年1月26日(2005.1.26)
【手続補正１】
【補正対象書類名】特許請求の範囲
【補正対象項目名】全文
【補正方法】変更
【補正の内容】
【特許請求の範囲】
【請求項１】
管理センター装置と共同溝の各溝口に設置される溝管理装置とがネットワークで接続された共同溝管理システムにおいて、
前記管理センター装置側では、入溝申請書に基づいて課金業者を含む入出溝業者名、入溝申請期間および対象溝口などのカードデータをＩＣカード記憶手段に書き込むとともに、カードライターを用いて前記記憶された入出溝業者名、入溝申請期間および対象溝口などのカードデータをＩＣカードに書き込んで当該ＩＣカードを発行し、かつ前記対象溝口に対応する宛先アドレスを含んだ前記ＩＣカードのカードデータを伝送し、当該宛先アドレスをもつ前記溝管理装置側では、カードリーダが伝送されてくる前記カードデータを記憶するとともに、前記入出溝業者によって装填されるＩＣカードのカードデータと既に伝送記憶されているカードデータとを比較し、有効であると判断したとき該当溝口の電子錠を開閉するとともに、当該電子錠の開閉時に前記入出溝業者を含む管理に必要な入溝情報および出溝情報を前記管理センター装置に伝送し、当該管理センター装置側では、前記入出溝業者名に対応する課金業者単位に前記入溝情報および出溝情報から得られる在溝時間と予め定める単位時間当たりの課金額とに基づいて課金集計処理を行い、かつ課金業者単位に所定期間にわたって集計することを特徴とする共同溝管理システム。
【請求項２】
管理センター装置と共同溝の各溝口に設置される溝管理装置とがネットワークで接続された共同溝管理システムにおいて、
前記管理センター装置は、
入溝申請書に基づいて課金業者を含む入出溝業者名、入溝申請期間および対象溝口などのカードデータを記憶するＩＣカード記憶手段と、
この記憶手段に記憶されるカードデータをＩＣカードに書き込んで当該ＩＣカードを発行するカードライターと、
前記カードデータを前記共同溝の申請溝口に対応する溝管理装置に伝送する手段と、
前記溝管理装置から伝送されてくる入溝情報および出溝情報をＩＣカード記憶手段に記憶する手段と、
このＩＣカード記憶手段に記憶される前記入出溝業者名に対応する前記課金業者単位に入溝情報および出溝情報から得られる在溝時間と予め定める単位時間当たりの課金額とに基づいて課金集計処理を行い、かつ課金業者単位に所定期間にわたって集計する課金集計処理手段と
を有することを特徴とする共同溝管理システム。
【請求項３】
管理センター装置と共同溝の各溝口に設置される溝管理装置とがネットワークで接続された共同溝管理システムにおいて、
前記溝管理装置は、
前記共同溝の各溝口の外側に設けられ、前記管理センター装置から伝送されてくるカードデータを記憶した後、入溝時に入出溝業者によって装填されるＩＣカードのデータと前記伝送記憶されているカードデータとを比較して有効であると判断したとき、電子錠を開錠するとともに、前記カードデータと開錠時刻のデータとを入溝情報として前記管理センター装置に伝送する入溝口用カードリーダと、
前記共同溝の各溝口の内側に設けられ、前記管理センター装置から伝送されてくるカードデータを記憶した後、出溝時に前記入出溝業者によって装填されるＩＣカードのデータと前記伝送記憶されているカードデータとを比較して有効であると判断したとき、電子錠を開錠するとともに、前記カードデータと開錠時刻のデータとを出溝情報として前記管理センター装置に伝送する出溝口用カードリーダと
を有することを特徴とする共同溝管理システム。
【請求項４】
請求項１ないし請求項３の何れか一項に記載の共同溝管理システムにおいて、
前記共同溝の各溝に設けられた溝管理装置のカードリーダは、
火災検知その他の異常検知センサから異常を受けたとき、緊急程度の大小を表すデータをもつ緊急データを前記管理センター装置に伝送する手段を設け、
前記管理センター装置は、
前記緊急データを受けたとき、その緊急程度の大小に応じて電子錠の一斉解施錠データまたは個別溝口の解施錠データを伝送する手段を設け、
前記溝管理装置のカードリーダに対して電子錠の解施錠を指示することを特徴とする共同溝管理システム。
【手続補正２】
【補正対象書類名】明細書
【補正対象項目名】全文
【補正方法】変更
【補正の内容】
【発明の詳細な説明】
【技術分野】
【０００１】
本発明は、公共性の高い共同溝のセキュリティおよび維持管理のための共益費の課金などの管理を行なう共同溝管理システムに関する。
【背景技術】
【０００２】
公共性の高い共同溝は、都市生活に必要なインフラが集中的に収納されている場所であり、その機能を維持するためにはインフラを提供する業者による共同溝の保守・点検作業が不可欠である。しかし、共同溝への頻繁な入出を認めると、共同溝の中から破壊活動や第三者によるいたずらが横行し、都市生活にも悪影響を与える問題がある。
【０００３】
そこで、公共性の高い共同溝においては、共同溝の入出に対して高度なセキュリティが求められ、さらに共同溝内の点検作業上必要な電気代や水道代などの公益費を含む共同溝の維持管理から、占用事業者及び共同溝管理者に按分の負担が求められるケースが多い。
【０００４】
従来、このような共同溝のセキュリティおよび維持管理に際し、次のような管理形態がとられている。
【０００５】
入出溝業者は、入溝申請書を作成して共同溝管理者に提出し、共同溝管理者から共同溝の入出の許可を受け、鍵を借り受ける。入出溝業者は、借り受けた鍵を用いて共同溝の指定入出口の扉を開閉し、共同溝の入出を行なっている。一方、共同溝管理者は、鍵の貸出し／返却を台帳などに記録し管理し、必要に応じて共同溝の維持管理などの面から課金する場合には、その課金情報も台帳などに記録し管理する。
【発明の開示】
【発明が解決しようとする課題】
【０００６】
ところで、以上のような鍵を用いた入・出溝の管理の場合には、次のような問題が指摘されている。
【０００７】
（１）  以上のような鍵を用いた場合、管理者側は共同溝への実際の入溝時間と出溝時間が把握できないこと。その結果、正確な在溝時間が計算できず、ひいては公正な課金が難しい問題がある。
【０００８】
（２）  また、管理者側は、借し出した後の鍵の使用状況を把握できない。その結果、例えば管理者の知らないところで容易に合鍵が作製でき、その合鍵を使用すれば管理者側に申請せずに共同溝に入出できる状態となり、入出溝の管理の意味が失われる可能性がある。
【０００９】
（３）  さらに、鍵を紛失することがあるが、その鍵の取得者がどの入溝口の鍵であるかが分かったとき、無断使用される恐れがあること。そのため、入出溝業者および共同溝管理者は紛失した鍵を徹底的に探すか、直ぐに鍵を交換しなければならない問題がある。
【００１０】
本発明は上記事情に鑑みてなされたもので、共同溝の確実なセキュリティの確保および人手を要せずに課金集計を的確に行なう共同溝管理システムを提供することを目的とする。
【００１１】
また、本発明の他の目的は、共同溝内の災害異常を早期に検知し、迅速に必要な処置を講じうる共同溝管理システムを提供することにある。
【課題を解決するための手段】
【００１２】
（１）  上記課題を解決するために、本発明は、管理センター装置と共同溝の各溝口に設置される溝管理装置とがネットワークで接続された共同溝管理システムにおいて、
前記管理センター装置側では、入溝申請書に基づいて課金業者を含む入出溝業者名、入溝申請期間および対象溝口などのカードデータをＩＣカード記憶手段に書き込むとともに、カードライターを用いて前記記憶された入出溝業者名、入溝申請期間および対象溝口などのカードデータをＩＣカードに書き込んで当該ＩＣカードを発行し、かつ前記共同溝に対応する宛先アドレスを含んだ前記ＩＣカードのカードデータを伝送し、当該宛先アドレスをもつ前記溝管理装置側では、伝送されてきた前記カードデータをカードリーダに記憶した後、当該カードリーダがＩＣカードのカードデータと既に伝送記憶されているカードデータとを比較し、有効であれば該当溝口の電子錠を開閉するとともに、当該電子錠の開閉時に前記入出溝業者名を含む管理に必要な入溝情報および出溝情報を前記管理センター装置に伝送し、当該管理センター装置側では、前記入出溝業者名に対応する課金業者単位に前記入溝情報および出溝情報から得られる在溝時間と予め定める単位時間当たりの課金額とに基づいて課金集計処理を行い、かつ課金業者単位に所定期間にわたって集計する共同溝管理システムである。
【００１３】
この発明は以上のような構成とすることにより、管理センター装置側は、ＩＣカードに所定のカードデータを書き込んだ後、このＩＣカードのカードデータを対象入出溝口に設置される溝管理装置に伝送するので、入出溝業者がＩＣカードを所持し、溝管理装置のカードリーダにセットすれば、カードリーダがＩＣカードのカードデータと既に管理センター装置から伝送されているカードデータとを比較し、適正な入出溝業者であると判断し、扉の電子錠を解錠するので、共同溝の確実なセキュリティを確保することが可能となる。また、共同溝の入溝時および出溝時に入出溝業者名を含む管理に必要な入溝情報および出溝情報を管理センター装置に伝送するので、管理センター装置側では、各溝管理装置のカードリーダから伝送されてくる入溝情報と出溝情報とから在溝時間を計算し、この在溝時間と単位時間当たりの課金額とから在溝時間の総課金額を算出し、日集計、月集計または年集計として伝票形式で自動的に出力可能となり、人手を必要とせずに容易に課金集計を行うことが可能となる。しかも、管理センター装置では、入出溝業者と対応関係をもって課金業者（例えば入出溝業者に委託している業者：電力会社，ガス会社，水道局，ＮＴＴ等）を記憶しているので、課金業者ごとに日集計，月集計，年集計された集計額を算出し伝票形式で自動的に出力するので、改めて課金業者ごとに課金集計処理を行なう必要がなく、直ちに課金業者に対する請求が可能となる。
（２）  また、本発明は、管理センター装置と共同溝の各溝口に設置される溝管理装置とがネットワークで接続された共同溝管理システムにおいて、
前記管理センター装置は、入溝申請書に基づいて課金業者を含む入出溝業者名、入溝申請期間および対象溝口などのカードデータを記憶するＩＣカード記憶手段と、このＩＣカード記憶手段に記憶されたカードデータを書き込んでＩＣカードを発行するカードライターと、このカードデータを前記共同溝の申請溝口に対応する溝管理装置のカードリーダに伝送する手段と、前記溝管理装置から伝送されてくる入溝情報および出溝情報をＩＣカード記憶手段に記憶する手段と、このＩＣカード記憶手段に記憶された前記入溝業者名ごとに入溝情報および出溝情報から得られる在溝時間と予め定める単位時間当たりの課金額とに基づき、前記課金業者に対する課金集計処理を行い、かつ課金業者単位に所定期間にわたって集計する課金集計処理手段とを有する構成である。
【００１４】
この発明は以上のような構成とすることにより、前述する（１）に記載する管理センター装置で得られる作用効果を奏することができる。
（３）  さらに、本発明は、管理センター装置と共同溝の各溝口に設置される溝管理装置とがネットワークで接続された共同溝管理システムにおいて、
前記溝管理装置は、前記共同溝の各溝口の外側に設けられ、前記管理センター装置から伝送されてくるカードデータを記憶した後、入溝時に入出溝業者によって装填されるＩＣカードのデータと前記伝送記憶されているカードデータとを比較して有効であると判断したとき、電子錠を開錠するとともに、前記カードデータと開錠時刻のデータとを入溝情報として前記管理センター装置に伝送する入溝口用カードリーダと、前記共同溝の各溝口の内側に設けられ、前記管理センター装置から伝送されてくるカードデータを記憶した後、出溝時に前記入出溝業者によって装填されるＩＣカードのデータと前記伝送記憶されているカードデータとを比較して有効であると判断したとき、電子錠を開錠するとともに、前記カードデータと開錠時刻のデータとを出溝情報として前記管理センター装置に伝送する出溝口用カードリーダとを有する構成である。
【００１５】
この発明は以上のような構成とすることにより、前述する（１）に記載する溝管理装置で得られる作用効果を奏することができる。
（４）  なお、上記（１）ないし（３）の何れかの構成において、前記共同溝の各溝に設けられた溝管理装置のカードリーダは、火災検知その他の異常検知センサから異常を受けたとき、緊急程度の大小を表すデータをもつ緊急データを前記管理センター装置に伝送する手段を有し、前記管理センター装置は、前記緊急データを受けたとき、その緊急程度の大小に応じて電子錠の一斉解施錠データまたは個別溝口の解施錠データを伝送する手段を有し、溝管理装置のカードリーダに対して電子錠の解施錠を指示する構成とすれば、共同溝内の火災、温度上昇、ガス漏れなどの災害時に管理センター装置から共同溝の各入出溝口の自動解施錠を行なうことができ、救助隊や消防隊による迅速な対応をとることができる。
【発明の効果】
【００１６】
以上説明したように本発明によれば、次のような種々の効果を奏する。
【００１７】
本発明によれば、共同溝の確実なセキュリティを確保できるとともに、人手を要せずに課金集計を的確に行なう共同溝管理システムを提供できる。
【００１８】
また、本発明によれば、共同溝内の災害異常を早期に検知し、迅速に必要な処置を講じることにより災害の拡大を防止できる共同溝管理システムを提供できる。
【発明を実施するための最良の形態】
【００１９】
図１は本発明に係る共同溝管理システムの一実施の形態を示す構成図である。
【００２０】
この共同溝管理システムは、ＩＣカードを発行する管理センター装置１と、各入出溝口に設置され入出溝業者の入出を管理する溝管理装置２，…とが例えばイーサネットなどのＬＡＮ３を介して接続されている。４は共同溝の付帯設備監視装置であって、電源のオンオフ、換気制御その他必要に応じて共同溝の温度制御等の制御監視を行なう機能を持っている。
【００２１】
この管理センター装置１は、入溝申請書に基づいて予め所定のＩＣカード書込用カードデータが登録されるＩＣカード用データベース１１と、入・出溝業者による入溝申請書の受付けに基づいて、ＩＣカード用データベース１１からＩＣカード書込み用データを読み出して書込み制御を実施し、かつ、入出溝口の宛先アドレスデータとともにＩＣカード書込み用データを入出溝口設置の溝管理装置２，…に伝送する例えばワークステーションなどのカードデータ処理装置１２と、このカードデータ処理装置１２のデータ書込み制御の下にデータが記録されていない任意のＩＣカード１３（以下、ＩＣカード鍵と指称する）にＩＣカード用データベース１１に記憶されるカードデータを順次書き込むカードライタ１４とが設けられている。
【００２２】
前記各入出溝口に設置される各溝管理装置２，…は、ネートワーク５に接続され、管理センター装置１との間でデータの授受を行なう伝送装置２１と、管理センター装置１から伝送装置２１を通して送られてくるカードデータを記憶する一方、入溝する際にＩＣカード鍵１３の内容と伝送記憶されるＩＣカードデータとを比較して入溝口の扉に取り付けられる電子錠を解錠するとともに、必要な情報を管理センター装置１に伝送する入溝用カードリーダ２２と、出溝する際にＩＣカード鍵１３の内容と記憶されたＩＣカードデータとを比較し、出溝口の扉に取り付けられる電子錠を解錠するとともに、必要な情報を管理センター装置１に伝送する出溝用カードリーダ２３とが設けられている。これら入溝口側扉および出溝口側扉にそれぞれ電子錠２４，２５が設けられている。
【００２３】
なお、入溝口と出溝口とが異なる場所にある場合にはそれぞれの場所の扉に入溝用カードリーダ２２と出溝用カードリーダ２３を設置するが、例えば同一の場所の場合には同一の扉の表側にば入溝用カードリーダ２２が設置され、裏側に出溝用カードリーダ２３が設置される。
【００２４】
次に、以上のように構成されたＩＣカードを用いた共同溝管理システムの動作について説明する。
【００２５】
入溝申請業者は、入溝前に管理センターにＩＣカード鍵１３を借りに行く。このとき、入溝申請業者は、図２の（イ）に示す所定の内容を記載した入溝申請書（ロ）を作成し管理センターに提出する。ここで、管理センターの担当者は、カードデータ処理装置１２を用いて、入溝申請書の申請内容と管理センター側で付加すべきデータとを加えてなる解施鍵データ，つまりカードデータを入力する。この入力されたカードデータはＩＣカード用データベース１１に登録される。同図の（ハ）は管理センター側のＩＣカード用データベース１１に登録されたＩＣカード用カードデータを示す。
【００２６】
以上の状態において管理センターの担当者は、カードデータの記録されていない任意のＩＣカードをカードライター１４に装着した後、カード書き込み指示を入力する。そうすると、カードデータ処理装置１２は、ＩＣカード用データベース１１からＩＣカード用カードデータを読み出し、カードライター１４に対してカードデータを送出し、書き込み制御を実行する。ここで、カードライター１４は装着されたＩＣカードの予め定める所定の位置にカードデータを順次書き込み、ＩＣカード鍵１３を作製する。
【００２７】
以上のようにして特定の入出溝口に対してのみ有効期限付きで有効であり、かつ、カード申請業者および維持管理費を支払う課金業者が書き込まれたＩＣカード鍵１３が作製される。図示（ニ）はＩＣカード鍵１３に登録されたカードデータの例である。
【００２８】
なお、カードデータ処理装置１２およびカードライター１４によるＩＣカードへの書き込みと同時に当該書き込んだカードデータをＬＡＮ３および溝側ネットワーク５を介して該当入出溝口に設置される溝管理装置２に伝送する。
【００２９】
ここで、溝管理装置２は、自己宛送信アドレスに基づいてカードデータを取込み、入溝用カードリーダ２２および出溝用カードリーダ２３の記憶媒体（図示せず）にそれぞれ記憶する。
【００３０】
しかして、以上のようにして作製されたＩＣカード鍵１３は、外見上から見た場合でもどの入出溝口の鍵であるか判断できず、管理者と入溝申請業者からなる関係者のみしかカード内容を知ることができない。
【００３１】
このＩＣカード鍵１３を用いて共同溝に入溝するときは、入溝口設置の入溝用カードリーダ２２にセットし、ＩＣカード鍵１３のカードデータを読込ませる。この入溝用カードリーダ２２は、予め管理センター装置１側から伝送され記憶されているカードデータとＩＣカード鍵１３から読込んだカードデータとを比較し、当該入溝口用鍵であって、かつ、有効期限内にあるとき、当該ＩＣカード鍵１３は有効であると判断し、入溝口設置の電子錠２４を解錠し、例えば解錠時刻、入溝申請業者名および課金業者名を入溝情報とし、伝送装置２１から管理センター装置１に伝送する。この管理センター装置１は、溝管理装置２から伝送されてくる入溝情報をＩＣカード用データベース１１に記憶する。
【００３２】
一方、出溝する際は、出溝口設置の出溝用カードリーダ２３にＩＣカード鍵１３をセットし、ＩＣカード鍵１３のカードデータを読込ませる。ここで、出溝用カードリーダ２３は、ＩＣカード鍵１３のカードデータと既に記憶されているカードデータとを比較し、ＩＣカード鍵１３が有効であると確認すれば、出溝口設置の電子錠２５を解錠する。そして、前述と同様に、例えば解錠時刻と、入溝申請業者名および課金業者名を出溝情報とし、伝送装置２１から管理センター装置１に伝送する。この管理センター装置１は、溝管理装置２から伝送されてくる出溝情報をＩＣカード用データベース１１に記憶する。なお、扉は、入溝時および出溝時に扉を閉めれば、自動的に施錠されるようになっている。
【００３３】
そして、共同溝の点検作業などの終了後、入溝業者がＩＣカード鍵１３を返却すると、管理センターの担当者は、ＩＣカード鍵１３をカードライター１４にセットすると、カードデータ処理装置１２およびカードライター１４を用いて、ＩＣカード鍵１３に既に登録されている解施錠情報であるカードデータを消去する。このとき、カードデータ処理装置１２は、申請対象となった入出溝口に設置される入溝用カードリーダ２２および出溝用カードリーダ２３にも消去指令を伝送する。その結果、これらリーダ２２，２３に記憶されているカードデータも消去される。これにより、鍵そのものが消滅するので、不正使用を起こすことがない。また、ＩＣカードは、データの消滅によって再使用できる。
【００３４】
従って、以上のようなＩＣカードを用いた共同溝管理システムの実施の形態によれば、ＩＣカード鍵１３を借り出した者が合鍵を作成することができないばかりか、万一，ＩＣカード鍵１３を紛失した場合でもどこの入出溝口の鍵か分からない。しかも、有効期限が過ぎれば、自然に鍵の機能を失うので、完璧なセキュリティを確保できる。また、利用期間中であっても、紛失届けがあった段階でカードの無効を全ての入溝用カードリーダ２２および出溝用カードリーダ２３に伝送し記憶すれば、どこかの入出溝口でＩＣカード鍵１３を使用しても、無効と判断され、電子錠２４，２５が動作しないばかりか、不正カードの使用情報を管理センター装置１に伝送することにより、カード使用の入出溝口の場所に急行でき、ひいてはカードの取得使用者を容易に発見できる。
【００３５】
図３は本発明に係わる共同溝管理システムのうち、特に溝管理装置２の他の実施形態を説明するフローチャートである。
【００３６】
この実施の形態は、入溝用カードリーダ２２または出溝用カードリーダ２３に図４に示すような処理用プログラムを設けることにより、よりセキュリティ機能を高めることにある。
【００３７】
このセキュリティ処理用プログラムによる一連の処理例を説明する。
【００３８】
すなわち、例えばカードリーダ２３は、所定周期ごとにカード装着有りかを判断し（ＳＴ１）、カード装着なしと判断されたとき、扉開信号有りかを判断する（ＳＴ２）。ここで、ＩＣカード鍵１３が装着されていないのに扉開信号が入力されているとき、ＩＣカード以外例えば何らかの解錠を試みて扉開としたか、錠の破壊による扉開となったと判断し、伝送装置２１を介して管理センター装置１に警報データが伝送する（ＳＴ３）。
【００３９】
また、ステップＳＴ１においてカード装着有りと判断されたとき、前述したようにＩＣカード鍵１３のカードデータと既に記憶されているカードデータとを比較し条件成立の有無を判断する（ＳＴ４）。ここで、カードが装着されたにも拘らず、条件不成立と判断されたとき、事故カードまたは何らかの不正カードの使用と判断し（ＳＴ５）、伝送装置２１を介して管理センター装置１に警報データが伝送する。
【００４０】
ステップＳＴ４において条件成立と判断されたときには、解錠処理を実行する（ＳＴ６）。しかる後、所定時間後に電子錠２４，２５が解錠されたか否かを判断する（ＳＴ７）。ここで、電子錠２４，２５が解錠されないとき、電子錠の施錠異常であると判断し（ＳＴ８）、伝送装置２１を介して管理センター装置１に警報データが伝送する（ＳＴ３）。
【００４１】
さらに、ステップＳＴ７において電子錠２４，２５の解錠と判断されたとき、前述したように所定の情報例えば解錠時刻と、入溝申請業者名および課金業者名などを伝送する（ＳＴ８）。
【００４２】
この電子錠２４，２５の解錠後、時間を計測し、所定の設定時間を経過しても扉が閉まらないときには設定時間タイムオーバと判断し（ＳＴ９）、伝送装置２１を介して管理センター装置１に警報データが伝送する（ＳＴ３）。
【００４３】
管理センター装置１側では、以上のような警報データを受信すると、スピーカなどの音声発生装置、異常表示用ランプまたは表示装置に何れの入出溝口で異常が発生したかを報知するので、異常の場所に迅速に急行でき、速やかに適切な処置を講じることができる。
【００４４】
図４は本発明に係わる共同溝管理システムのうち、特に管理センター装置１の他の実施形態を示す構成図である。
【００４５】
この実施の形態は、緊急避難時に電子錠を自動解錠する実施の形態例である。
【００４６】
共同溝管理システムのうち、入溝用カードリーダ２２または出溝用カードリーダ２３内に、例えば複数の個所に設置される複数の火災検知センサ、複数の温度センサ、複数のガス漏れセンサその他必要なセンサと、これらセンサの出力信号を順次取込むマルチプレクサと、このマルチプレクサで取込んだ火災検知センサ、温度センサ、ガス漏れセンサその他のセンサごとに所定のレベルが設定され、センサの出力レベルが設定レベルを越えたとき緊急事態と判断し、かつ、例えば所定個数例えば２つのセンサ出力レベルが設定レベルを越えたとき緊急程度が小、所定個数例えば３つ以上のセンサ出力レベルが同時に設定レベルを越えたとき緊急程度が大と判断し、通常処理に対して割込みを行なって緊急データをセンター装置１側に伝送する
一方、センター装置１においては、例えば図４に示すような構成要素が付加されている。すなわち、各入出溝口側伝送装置２１から送られてくる緊急データを受信したとき、警報またはランプ点灯を行なう緊急出力手段と、この警報またはランプ点灯を確認した後、管理センター担当者が緊急指示を入力したとき、或い自動的に緊急処理を実行するための緊急処理用プログラムを記憶する緊急処理用プログラム記憶媒体３１と、この緊急処理用プログラムに従って緊急処理を実行するＣＰＵなどで構成された緊急処理手段１２ａと、緊急時の相手宛先アドレスおよび緊急指示データなどを記憶する緊急処理用データテーブル３２とが設けられている。３３は表示部、３４は入力機器である。
【００４７】
従って、管理センター装置１においては、例えば入出溝口ＮＯ．１の伝送装置２１から緊急程度データをもつ緊急データを受信すると、カードデータ処理装置１２の緊急出力手段が警報またはランプを点灯し、緊急事態である旨を報知する。ここで、センター側担当者が緊急指示を入力するか、緊急データ入力に伴って自動的に緊急処理手段１２ａを実行する。この緊急処理手段１２ａは、記憶媒体３１から緊急処理用プログラムを読み出し、プログラム処理を実行する。つまり、緊急程度データから緊急程度が小さい場合、図５に示す緊急処理用データテーブル３２から入出溝口ＮＯ．１に対する個別宛先アドレスと、入出溝口ＮＯ．１解施錠データを読み出し、少なくとも個別宛先アドレス、センター側送信元アドレス、入出溝口ＮＯ．１解施錠データをもったフレーム形式データを伝送し、入出溝口ＮＯ．１に対する電子錠２４，２５の個別解施錠を行なう。
【００４８】
一方、緊急程度データから緊急程度が大きいと判断した時、緊急処理用プログラムに従って緊急用データテーブル３２から同報アドレスおよび一斉解施錠せよの指示データを取り出し、同様に少なくとも同報アドレス、センター側送信元アドレス、全入出溝口一斉解施錠せよのデータを送信し、全電子錠の一斉解施錠の指示を与え、全電子錠を一斉に解錠する。
【００４９】
従って、以上のような実施の形態によれば、共同溝内で災害が発生した時の緊急避難時、その緊急の程度に応じて入出溝口設置の電子錠を個別または全部を解錠することにより、緊急時に救助隊や消防隊が容易に入溝可能となり、被害の拡大を未然に防ぐことができる。
【００５０】
図６は本発明に係わる共同溝管理システムのうち、特に管理センター装置の他の実施形態を示す構成図である。
【００５１】
この実施の形態は、課金データを自動的に作成するための実施形態例である。
【００５２】
この管理センター装置１は、ＣＰＵで構成されるカードデータ処理装置１２に課金処理用プログラムを記憶する課金処理用プログラム記憶手段４１と、課金データテーブル４２とが接続され、さらにカードデータ処理装置１２内に課金処理用プログラムを用いて課金処理を行なう課金処理手段１２ｂが設けられている。４３はプリンタなどの出力装置である。
【００５３】
課金データの作成時、次のような一連の処理を実行する。ＩＣカード鍵１３を用いて入出溝を行なった時、前述したように溝入出管理装置２側から入溝情報および出溝情報が伝送され、管理センター装置１のＩＣカード用データベース１１に格納されている。
【００５４】
そこで、カードデータ処理装置１２は、課金データの作成時または入・出溝情報の格納時に図７に示す課金データテーブル４２に課金業者単位に入出溝した回数と在溝時間とを格納する。しかる後、この在溝時間を分単位に変換し、予め定める分単位課金額とを乗算し、各入出溝ごとに順次課金額を計算し課金データテーブル４２に格納する。
【００５５】
そして、課金業者との取決めに基づき、課金業者単位に日集計、月集計、または年集計などを行ない、所定のフォーマットの所定の項目に必要な事項を順次記載し、課金集計票を作成し、出力装置４４から出力する。
【００５６】
従って、以上のような実施の形態によれば、課金データの作成時、ＩＣカード用データベース１１に格納されるデータに基づいて在溝時間に対する課金額を計算し、日集計、月集計、または年集計の形で課金集計票を出力するので、従来のように特別の台帳を用意することなく、また管理者が作成することなく、短時間に自動的に課金集計票を作成でき、管理事務の合理化を図ることができる。
【００５７】
（その他の実施の形態）
システムの故障、伝送エラーなどで入溝情報、出溝情報のデータエラーを起こしたとき、または欠落したとき、作業業者がＩＣカード鍵１３を返却するとき、作業業者から聞き取りながらＩＣカード用データベース１１に格納できるので、入溝情報と出溝情報を修復／作成でき、公正な課金データを保存管理できる。
【００５８】
また、点検作業員の酸欠防止の観点から、付帯設備監視装置４が所定のスケジュールに従って換気ファンを運転するが、日々変わる作業場所に対応する換気ファンの運転スケジュールの設定を、入溝申告データを元にカードデータ処理装置１２が運転スケジュールを作成し、付帯設備監視装置４に伝送するようにすれば、付帯設備監視オペレータの作業を大幅に軽減できる。
【図面の簡単な説明】
【００５９】
【図１】本発明に係わる共同溝管理システムの一実施の形態を示す構成図。
【図２】ＩＣカードを発行する過程を説明する図。
【図３】本発明に係わる共同溝管理システムの動作を説明するフローチャート。
【図４】本発明に係わる共同溝管理システムのうち、管理センター装置の他の実施形態を示す構成図。
【図５】図４に示す緊急処理用データテーブルのデータ配列図。
【図６】本発明に係わる共同溝管理システムのうち、管理センター装置の他の実施形態を示す構成図。
【図７】図６に示す課金データテーブルのデータ配列図。
【符号の説明】
【００６０】
１…管理センター装置、２…溝管理装置、１１…ＩＣカード用データベース、１２…カードデータ処理装置、１３…ＩＣカード（ＩＣカード鍵）、１４…カードライター、２２，２３…カードリーダ、２４，２５…電子錠。